(57)【要約】      （修正有）【課題】知人を紹介した求職者に対して実績に応じた紹介報酬を容易に算出する。【解決手段】ネットワーク上に設置された採用支援サーバーと、該採用支援サーバーに求人情報を送信する求人企業端末と、該求人企業端末から送信された求人情報を蓄積する前記採用支援サーバーに設けられた求人情報データベースと、前記採用支援サーバーに求職者自身の情報を送信する求職者端末と、該求職者端末から送信された求職者情報を蓄積する前記採用支援サーバーに設けられた求職者情報データベースと、求職者が求人情報データベースを閲覧する閲覧許可手段と、求職者が求人情報の求めるスキルに適合した知人を求人企業に紹介する知人紹介手段と、前記求人企業端末から採用支援サーバーへ送信された知人の採用結果が採用である場合に紹介した求職者の求職者情報へ紹介実績を記録し過去の紹介実績に応じた報酬を算出する報酬算出手段とにより人材採用支援システムを構成する。【選択図】図１
2015043117.tif 000002
【特許請求の範囲】
【請求項１】
ネットワーク上に設置された採用支援サーバーと、該採用支援サーバーに求人情報を送信する求人企業端末と、該求人企業端末から送信された求人情報を蓄積する前記採用支援サーバーに設けられた求人情報データベースと、前記採用支援サーバーに求職者自身の情報を送信する求職者端末と、該求職者端末から送信された求職者情報を蓄積する前記採用支援サーバーに設けられた求職者情報データベースと、該求職者情報データベースに登録された求職者が求人情報データベースを閲覧することを可能にする閲覧許可手段と、前記求人情報データベースを閲覧した求職者が、求人情報の求めるスキルに適合した知人を求人企業に紹介する知人紹介手段と、該知人紹介手段において知人を紹介した場合に、紹介された知人の採用又は不採用を前記求人企業端末から採用支援サーバーへ送信する結果送信手段と、該結果送信手段で送信された結果が採用である場合に、紹介した求職者の求職者情報へ紹介実績を記録するとともに、過去の紹介実績に応じた報酬を算出する報酬算出手段とより構成されることを特徴とする人材採用支援システム。
【請求項２】
前記採用支援サーバーに送信される求職者自身の情報には、求職者のソーシャル・ネットワーキング・サービスのアカウント情報及び該アカウントと前記採用支援サーバーとの連携許可を含むものであり、採用支援サーバーは前記求職者のソーシャル・ネットワーキング・サービスのアカウントから友人の投稿を解析し蓄積することができ、該蓄積された情報および前記求人情報データベースの求人情報を比較し、前記求職者のソーシャル・ネットワーキング・サービスの友人に適合する求人情報が存在する場合には、求職者に対しその友人の紹介を促す通知を行う投稿解析装置を備えることを特徴とする請求項１記載の人材採用支援システム。
支援システム。
【請求項３】
前記知人紹介手段は、求職者自身のホームページに求人情報データベースの求人情報を表示し、求職者自身のホームページを訪れた者が該求人情報をクリックすることで知人を紹介する知人紹介手段であることを特徴とする請求項１又は２記載の人材採用支援システム。
【請求項４】
前記応募手段は、採用支援サーバーが求職者情報データベースに登録している求職者に対して、特定の求人情報に適合する者を探すように通知する通知手段と、特定の求人情報に適合する者の情報を採用支援サーバーへ送信する応募手段であることを特徴とする請求項１記載の人材採用支援システム。
【請求項５】
ネットワーク上に設置された採用支援サーバーに企業が求人情報を送信する求人情報送信ステップと、該求人情報送信ステップで送信された求人情報をデータベースに蓄積する求人情報蓄積ステップと、前記採用支援サーバーに求職者自身の情報を送信しアカウントを作成しデータベースに蓄積する求職者アカウント作成ステップと、該アカウント作成ステップでアカウントを作成した求職者のみに前記求人情報送信ステップで送信された求人情報へのアクセスを許可するアクセス許可ステップと、該アクセス許可ステップで求人情報へアクセスを許可された求職者が知人を求人企業に紹介する知人紹介ステップと、該知人紹介ステップにおいて紹介された人材の採用又は不採用を採用支援サーバーに送信する結果送信ステップと、該結果送信ステップにおいて送信された結果が採用であった場合に、その知人を紹介した求職者に紹介実績を付加するとともに、支払う報酬を該求職者の過去の紹介実績から算出する報酬算出ステップとより構成される人材採用支援方法。
【請求項６】
前記アカウント作成ステップで作成したアカウントと求職者自身のソーシャル・ネットワーキング・サービスのアカウントを連携するＳＮＳ連携ステップと、前記ＳＮＳ連携ステップで連携されたアカウントの友人の投稿を収集する投稿収集ステップと、該投稿収集ステップで収集された投稿から仕事や学習、スキルに関する投稿を解析し蓄積する投稿解析ステップと、該投稿解析ステップで解析された投稿とデータベースに蓄積された求人情報で求められるスキルが適合するかを解析し、適合する人物がいる場合には求職者へ提示するスキル適合者提示ステップをさらに備えることを特徴とする請求項５記載の人材採用支援方法。
【発明の詳細な説明】
【技術分野】
【０００１】
本発明は、自ら求人に応募するだけでなく、ネットワークを介して求人情報に対して求職者自身が知人を紹介することができ、紹介した求職者に対しても実績に応じて紹介報酬を容易に算出できる人材採用支援システムおよび人材採用支援方法に関する。
【背景技術】
【０００２】
従来、求人企業の要求スキルと応募した求職者のスキルを関連付けし、応募者の知識・経験と事業部門の要求とのミスマッチを防止する人材採用支援システム、方法およびコンピュータ・プログラムが知られている（特許文献１）。
しかし、このような採用支援方法では、応募してきた者が自ら申告したスキルと募集スキルとを関連付けすることしかできなかった。
また、求職者が自分のために求人情報を閲覧した際に、自身のスキルとは適合しないが自分の知人のスキルと適合する求人情報を発見した場合、その友人を紹介してもインセンティブを得られるわけではなく、また、容易に紹介できる人材採用支援システムや方法は存在しなかった。
【先行技術文献】
【特許文献】
【０００３】
【特許文献１】特許第３６９９６９５号公報
【発明の概要】
【発明が解決しようとする課題】
【０００４】
本発明は以上のような従来の欠点に鑑み、紹介者に対して報酬を与えて求人に対し適合スキルを持つ知人の紹介を促し、円滑な人材採用を可能にするために、容易に知人を求人企業に紹介できる知人紹介手段を有し、紹介による報酬を容易に算出できる人材採用支援システムおよび方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はネットワーク上に設置された採用支援サーバーと、該採用支援サーバーに求人情報を送信する求人企業端末と、該求人企業端末から送信された求人情報を蓄積する前記採用支援サーバーに設けられた求人情報データベースと、前記採用支援サーバーに求職者自身の情報を送信する求職者端末と、該求職者端末から送信された求職者情報を蓄積する前記採用支援サーバーに設けられた求職者情報データベースと、該求職者情報データベースに登録された求職者が求人情報データベースを閲覧することを可能にする閲覧許可手段と、前記求人情報データベースを閲覧した求職者が、求人情報の求めるスキルに適合した知人を求人企業に紹介する知人紹介手段と、該知人紹介手段において知人を紹介した場合に、紹介された知人の採用又は不採用を前記求人企業端末から採用支援サーバーへ送信する結果送信手段と、該結果送信手段で送信された結果が採用である場合に、紹介した求職者の求職者情報へ紹介実績を記録するとともに、過去の紹介実績に応じた報酬を算出する報酬算出手段とより人材採用支援システムを構成している。
【０００７】
また、本発明はネットワーク上に設置された採用支援サーバーに企業が求人情報を送信する求人情報送信ステップと、該求人情報送信ステップで送信された求人情報をデータベースに蓄積する求人情報蓄積ステップと、前記採用支援サーバーに求職者自身の情報を送信しアカウントを作成しデータベースに蓄積する求職者アカウント作成ステップと、該アカウント作成ステップでアカウントを作成した求職者のみに前記求人情報送信ステップで送信された求人情報へのアクセスを許可するアクセス許可ステップと、該アクセス許可ステップで求人情報へアクセスを許可された求職者が知人を求人企業に紹介する又は求職者自身が応募する応募ステップと、該応募ステップにおいて応募した人材が求職者自身であるか判別する応募者判別ステップと、該応募者判別ステップにおいて応募した人材が求職者の知人であった場合に、前記応募ステップにより紹介された人材の採用又は不採用を採用支援サーバーに送信する結果送信ステップと、該結果送信ステップにおいて送信された結果が採用であった場合に、その知人を紹介した求職者に支払う報酬を、該求職者の紹介実績から算出する報酬算出ステップとより人材採用支援方法を構成している。
【発明の効果】
【０００８】
以上の説明から明らかなように、本発明にあっては次に列挙する効果が得られる。
（１）請求項１により、求職者が発見した求人情報に適合する知人がいる場合、当該知人を容易に紹介することができる。
したがって、応募総数が増加し、求人企業は多数の応募者から採用者を選択することができる。
（２）求職者が知人を紹介した場合、その報酬を紹介した求職者の実績を加味して容易に算出できるので、人事担当者等は煩雑な実績管理を行う必要がなく、また、紹介した求職者も実績がデータベースに蓄積されるので、求職者は自らが応募できなくても知人を紹介するインセンティブとなる。
（３）請求項２も前記（１）〜（２）と同様な効果が得られるとともに、知人の投稿からスキルを分析し、紹介を提案することができる。
したがって、紹介する求職者自身が知人のスキルを把握していなくても、適切な紹介を行うことができる。
（４）請求項３も前記（１）〜（３）と同様な効果が得られるとともに、多数の人材に求人情報を閲覧させることができる。
（５）請求項４も前記（１）〜（３）と同様な効果が得られるとともに、求職者に紹介を促すことができる。
（６）請求項５も前記（１）〜（２）と同様な効果が得られる。
（７）請求項６も前記（１）〜（３）と同様な効果が得られる。
【図面の簡単な説明】
【０００９】
【図１】本発明を実施するための第１の形態の概要図。
【図２】本発明を実施するための第１の形態のフローチャート。
【図３】本発明を実施するための第２の形態の概要図。
【図４】本発明を実施するための第２の形態の求職者のホームページから知人紹介を行った場合のフローチャート。
【発明を実施するための形態】
【００１０】
以下、図面に示す本発明を実施するための形態により、本発明を詳細に説明する。
【００１１】
図１および図２に示す本発明を実施するための第１の形態において、１は人材採用を支援する人材採用支援システムで、インターネットのネットワーク上に備えられた採用支援サーバー２と、該採用支援サーバー２に求人情報を送信する求人企業端末３と、該求人企業端末３から送信された求人情報を蓄積する求人情報データベース４と、前記採用支援サーバー２に求職者自身の情報を送信する求職者端末５と、該求職者端末５から送信された求職者情報を蓄積する求職者情報データベース６と、該求職者情報データベース６に登録された求職者が求人情報データベース４を閲覧することを可能にする閲覧許可手段７と、前記求人情報データベース４を閲覧した求職者が、求人情報の求めるスキルに適合した知人を求人企業に紹介できる知人紹介手段８と、該知人紹介手段８により紹介された知人の採用又は不採用を前記求人企業端末３から採用支援サーバー２へ送信できる結果送信手段９と、該結果送信手段９で送信された結果が採用である場合に、紹介した求職者の求職者情報へ紹介実績を記録するとともに、過去の紹介実績に応じた報酬を算出する報酬算出手段１０とで構成されている。
【００１２】
前記採用支援サーバー２には、求人情報データベース４および求職者情報データベース６が備えられており、ネットワークを介して求人企業端末３および求職者端末５と接続可能な状態となっている。なお、この採用支援サーバー２は人材採用支援を行なっている採用支援企業１３が所有・管理している。
【００１３】
求人企業端末３は求人企業側が有するパソコン、スマートフォン、タブレット端末等であって、ネットワークを介して採用支援サーバー２へ接続し、求人の条件を送受信できるものである。
【００１４】
求人情報データベース４は採用支援サーバー２に設けられており、求人企業端末３より送信された職種、待遇、要求スキル、支度金等の求人情報を蓄積し記憶する。この求人情報データベース４は後述する閲覧許可手段７により閲覧を許可された求職者がインターネットを介して閲覧することができ、登録企業の一覧ページや登録企業の詳細が記載された個別ページにより表示される。
【００１５】
求職者端末５は求職者が有するパソコン、スマートフォン、タブレット端末等であって、ネットワークを介して採用支援サーバー２へ接続し、求職者の情報を送受信および求人情報データベース４の閲覧ができるものである。
【００１６】
求職者情報データベース６は採用支援サーバー２に設けられており、求職者端末５より送信された自己の履歴書記載事項、職務経歴書記載事項、保有スキル等の求職者の情報を蓄積し記憶するものである。なお、求職者情報データベース６は非公開の状態で管理される。
【００１７】
閲覧許可手段７は求職者端末５から求職者自身の情報が送信されると、求職者情報データベース６へ登録するとともに、ログインＩＤおよびパスワード設定し、求人情報データベース４の閲覧を許可する。なお、求職者自身の情報を送信するのは初回登録時のみであり、次回以降は前記ログインＩＤおよびパスワードを送信し、求職者情報データベース６の情報と照合し、ログインＩＤおよびパスワードが正しければ閲覧を許可する。
【００１８】
知人紹介手段８は、求人情報データベース４に掲載された企業の個別ページに備えられた紹介ボタンのアイコン等が想定される。知人紹介手段８の具体例としては、求職者が紹介ボタンのアイコン等を押し、紹介ページを表示させて紹介したい知人の情報を入力し、採用支援サーバー２へ送信する。知人の情報が送信されると紹介番号が発行される。求職者は知人に当該紹介番号を送信し、知人が紹介番号を採用支援サーバー２へ入力し、情報の送信、利用規約等に承認することにより求人企業へ情報が送信される。知人が承認しない場合には、当該知人の情報は採用支援サーバー２から削除される。なお、知人は採用支援サーバー２へアクセスした際に、当該知人は求職者が入力した自己の情報を訂正等することができる。
【００１９】
また、紹介番号を用いるものだけでなく、知人の情報が送信されると採用支援サーバー２へのリンクが作成され、当該リンクを求職者が知人へ送信し、リンクから知人が採用支援サーバー２へアクセスして承認等するものでもよい。さらに、あらかじめ知人に承認を受けている場合においては、求職者が知人の情報を入力した時点で、求人企業へ知人の情報が送信されるものでもよい。
【００２０】
知人を紹介すると、求職者情報データベース６にどの企業に対して誰を紹介したかが記録される。
【００２１】
知人紹介手段８は求職者が、求人情報データベース４を閲覧した場合に紹介するだけでなく、定期的、不定期又は求人企業の要求により、求職者に対して特定の求人情報に適合する者を探すようにメールにより通知する通知手段１１と、特定の求人情報に適合する者の情報を採用支援サーバー２へ送信するように構成してもよい。前記通知手段としてのメールは単に求人企業の一覧又は抜粋を記載して求職者へ送信されるものでもよいし、ゲーム性を有しているような形式、例えば「Ｃ＋＋のスキルを有し、経験５年以上の者をハントせよ。支度金２０万円」のような記載であってもよい。適合する者の情報を採用支援サーバー２へ送信する方法としては、メールに企業の個別ページへのアクセスし紹介ボタンを押すものでもよいし、メールに返信することで紹介等できるものでもよい。
【００２２】
また、採用支援サーバー２には求職者が知人を紹介する際に適合するスキルを有する知人が存在するかを知ることができる投稿解析装置１２を備えてもよい。該投稿解析装置１２は、求職者のソーシャル・ネットワーキング・サービス（以下、「ＳＮＳ」とする）のアカウント情報及び該アカウントと前記採用支援サーバー２との連携許可情報を求職者情報データベース６に送信し、採用支援サーバー２が求職者のＳＮＳ上の友人の投稿を収集する。収集された友人の投稿がスキル、資格、勉強、自己啓発等の職業関連の投稿であるかを解析し、これをスキル、資格別等に蓄積する。
【００２３】
また、投稿解析装置１２は、求職者が求人情報データベース４の企業の個別ページ等を閲覧した際に、求職者の操作により又は自動で当該企業の要求スキルに適合すると思われる知人の情報を表示する。例えば、求人企業の要求スキルが「Ｃ言語」であった場合、蓄積した情報からＣ言語についての投稿が多い知人を表示することなどが考えられる。なお、投稿解析装置１２は、知人のＳＮＳのアカウント名等を入力すると該知人のスキルと適合する企業を表示するものでもよい。
【００２４】
結果送信手段９は、紹介された知人の採用又は不採用を採用支援サーバー２に送信する手段であって、採用支援サーバー２に備えられた採用フォームを記載して送信する手段等が考えられる。なお、採用又は不採用のデータが送信できるものであれば、前述の手段に限られるものではない。
【００２５】
報酬算出手段１０は、前記結果送信手段９において採用又は不採用のデータを受信すると、採用又は不採用とされた知人を紹介した求職者を判別する。判別された求職者の求職者情報データベース６に採用又は不採用のデータを記録する。知人が採用された場合には、当該紹介した求職者の過去の紹介実績を参照し、求職者に支払う報酬を算出する。なお、報酬が算出されると、報酬額が採用支援企業１３へ通知され、通知企業を通じて求職者に報酬が支払われる。
【００２６】
報酬の算出方法としては、求職者情報データベース６に登録しているが過去に紹介者が採用されたことのない求職者に対しては支度金の１０％を報酬として算出、過去に１人紹介者が採用された求職者に対しては支度金の２０％を報酬として算出、過去に３〜９人紹介者が採用された求職者に対しては支度金の３０％を報酬として算出、過去に１０人以上紹介者が採用された求職者に対しては支度金の４０％を報酬として算出する等である。
以下、本願発明の人材採用支援システム１を使用した人材採用支援方法１４について説明する。
【００２７】
人材採用支援方法１４はネットワーク上に設置された採用支援サーバーに企業が求人情報を送信する求人情報送信ステップ（Ｓ１０１）と、該求人情報送信ステップで送信された求人情報をデータベースに蓄積する求人情報蓄積ステップ（Ｓ１０２）と、前記採用支援サーバー２に求職者自身の情報を送信しアカウントを作成しデータベースに蓄積する求職者アカウント作成ステップ（Ｓ１０３）と、該アカウント作成ステップ（Ｓ１０３）でアカウントを作成した求職者のみに前記求人情報送信ステップで送信された求人情報へのアクセスを許可するアクセス許可ステップ（Ｓ１０４）と、該アクセス許可ステップ（Ｓ１０４）で求人情報へアクセスを許可された求職者が知人を求人企業に紹介する知人紹介ステップ（Ｓ１０５）と、該知人紹介ステップ（Ｓ１０５）において紹介された人材の採用又は不採用を採用支援サーバーに送信する結果送信ステップ（Ｓ１０６）と、該結果送信ステップ（Ｓ１０６）において送信された結果が採用であった場合に、その知人を紹介した求職者に紹介実績を付加するとともに、支払う報酬を該求職者の過去の紹介実績から算出する報酬算出ステップ（Ｓ１０７）とより構成されている。
【００２８】
求人情報送信ステップ（Ｓ１０１）では、求人企業端末３より募集職種、待遇、要求スキル、支度金等を採用支援サーバー２へ送信する。
【００２９】
次に、求人情報蓄積ステップ（Ｓ１０２）では、求人情報が求人企業端末３より送信されると、求人情報をデータベースに蓄積する。
【００３０】
求職者アカウント作成ステップ（Ｓ１０３）では、求職者が求職者端末より採用支援サーバー２にアクセスし、求職者自身の氏名、スキル、職歴、連絡先、等の情報を送信してアカウントを作成する。このステップにおいてログインＩＤおよびパスワードが設定される。ログインＩＤおよびパスワードは求職者自身が設定するものでもよいし、採用支援サーバー２から求職者に対して提示するものでもよい。なお、求職者アカウント作成ステップ（Ｓ１０３）は初回登録時のみ行われ、登録後に採用支援サーバー２へアクセスする場合には前記ログインＩＤおよびパスワードを入力することで省略される。
【００３１】
アクセス許可ステップ（Ｓ１０４）では求職者が入力したログインＩＤおよびパスワードが求職者情報データベース６に記録されたものと同一であるかを判定し、同一である場合には求人情報データベース４の閲覧を許可する。
【００３２】
知人紹介ステップ（Ｓ１０５）では、アクセスを許可された求職者が求人情報データベース４を閲覧し、知人のスキルに適合する求人企業を発見した場合に企業の個別ページに設けられた紹介ボタンのアイコン等より求人企業に紹介する。
【００３３】
結果送信ステップ（Ｓ１０６）では、該知人紹介ステップ（Ｓ１０５）において紹介された人材の採用又は不採用を決定後、その情報を採用支援サーバーに送信する。
報酬算出ステップ（Ｓ１０７）は、前記該結果送信ステップ（Ｓ１０６）において送信された結果が採用であった場合に、その知人を紹介した求職者の求職者情報データベースに記録された紹介実績を参照し、紹介報酬を算出する。なお、紹介実績や報酬の算出方法は前述のとおりである。
【００３４】
なお、本実施の形態では求人企業が求人情報を登録した後、求職者が登録して知人を紹介する場合を想定して説明したが、本発明はこれに限られず、求職者のアカウント登録が先に行われてもよい。
【００３５】
付言すると、すでにアカウント登録がされている場合には、アクセス許可ステップ（Ｓ１０４）から開始するが、この場合においても求人情報送信ステップ（Ｓ１０１）および求人情報蓄積ステップ（Ｓ１０２）は行われておりしており、かつ、求職者も求職者アカウント作成ステップ（Ｓ１０３）をすでに行なっているのであるから、そのような方法であっても本発明の技術的範囲に属するものである。
【００３６】
また、前記求職者アカウント作成ステップ（Ｓ１０３）においてアカウントを作成する際又はアカウント作成後の任意の時に求職者の情報としてＳＮＳのアカウントを送信し、求職者アカウントとＳＮＳのアカウントを連携し、求職者のＳＮＳのタイムラインの閲覧、収集、解析を採用支援サーバー２に備えられた投稿解析装置１２に許可できるＳＮＳ連携ステップ（Ｓ１０８）を備えてもよい。このようなステップを有する場合、ＳＮＳ連携ステップ（Ｓ１０８）により求職者のＳＮＳのタイムラインの閲覧、収集、解析が許可された場合、投稿解析装置１２は求職者の友人の投稿を収集する投稿収集ステップ（Ｓ１０９）と、該投稿収集ステップで収集された投稿から仕事や学習、スキルに関する投稿を解析し蓄積する投稿解析ステップ（Ｓ１１０）とを行い、これらの情報を蓄積する。
【００３７】
次に、投稿解析装置１２は求職者が求人情報データベースを閲覧した際に、閲覧している企業が求めているスキルと適合するスキルを有するＳＮＳ上の友人が存在するかを蓄積したデータおよび求人情報データベースのデータから解析し、適合する人物がいる場合には求職者へ提示するスキル適合者提示ステップ（Ｓ１１１）を行う。なお、スキル適合者提示ステップ（Ｓ１１１）は求職者が知人のＳＮＳアカウント名等を入力し、ＳＮＳアカウントによる投稿内容から解析されるスキルと適合する求人企業を表示するものでもよい。
【００３８】
なお、本実施の形態の人材採用支援システム１および人材採用支援方法１４においては、求職者が知人を紹介する場合について説明したが、求職者自身が求人情報データベースを閲覧して応募することもできる。
【００３９】
また、通知手段１１および投稿解析装置１２を有する人材採用支援システム１および人材採用支援方法１４について説明したが、これらを有さない人材採用支援システム１および人材採用支援方法１４であってもよい。
【００４０】
[発明を実施するための異なる形態]
次に、図３および図４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４１】
図３および図４に示す本発明を実施するための第２の形態において、前記本発明を実施するための第１の形態と主に異なる点は、求職者自身のホームページ（ブログ、ＳＮＳのページ等）に広告として求職者情報データベース６の求人情報を表示し、これを閲覧した知人が自ら広告をクリックすることで紹介する知人紹介手段８Ａと、前記広告のクリック数又は広告経由で紹介した知人の採用によって報酬を算出する報酬算出手段１０Ａをさらに用いた人材採用支援システム１Ａおよびこのような紹介ステップ（Ｓ１０５Ａ）と、報酬算出ステップ（Ｓ１０７Ａ）を用いた人材採用支援方法１４Ａにしても、前記本発明を実施するための第１の形態と同様な作用効果が得られる。
【００４２】
なお、前記広告として表示する求人情報は、そのホームページを管理する求職者自身が選択してもよいし、そのホームページを閲覧している者の興味・関心がある分野の求人情報を自動で表示する興味関心連動型広告でもよい。
また、本実施の形態では知人紹介手段８および８Ａを併用する形態について説明したが、知人紹介手段８Ａと報酬算出手段１０Ａのみで知人を紹介する人材採用支援システムおよび人材採用支援方法にしてもよい。
【産業上の利用可能性】
【００４３】
本発明は人材採用の際に求人企業を支援する産業で利用される。
【符号の説明】
【００４４】
１、１Ａ：人材採用支援システム、
２：採用支援サーバー、        ３：求人企業端末、
４：求人情報データベース、    ５：求職者端末、
６：求職者情報データベース、  ７：閲覧許可手段、
８、８Ａ：知人紹介手段、      ９：結果送信手段、
１０：報酬算出手段、          １１：通知手段、
１２：投稿解析装置、          １３：採用支援企業、
１４、１４Ａ：人材採用支援方法。
【図１】
2015043117.tif 000003
【図２】
2015043117.tif 000004
【図３】
2015043117.tif 000005
【図４】
2015043117.tif 000006